(57)【要約】      （修正有）【課題】クロストークを減少し、精確度を向上させ、信号伝達の安定を保持するコネクタを提供する。【解決手段】本コネクタは、ハウジング２１、第一金属導片３、第二金属導片４、ツイストケーブル５、６からなり、ハウジング内に、第一、第二金属導片を設置し、二つの中心線３０、４０に設置された間隙口３１、４１は収容空間を形成して、ツイストケーブルを挿持し、第一、第二金属導片が並列でツイストケーブル外層のアイソレーター５０、６０表層とツイストケーブル内円心のコンダクタ５１、６１を接触連接する。ハウジング内に設置された第一金属導片の中心線と第二金属導片の中心線の線間ピッチは少なくとも０．６３５ミリ以上であり、第一金属導片と第二金属導片の中心線を、それぞれ、ツイストケーブル内円心のコンダクタに対応させて、接触連接し、クロストークを減少し、精確度を向上させ、信号伝達の安定を保持することが出来る。【選択図】図６
0003101909.tif 000002
【実用新案登録請求の範囲】
【請求項１】
ハウジング、第一金属導片、第二金属導片、ツイストケーブルからなるコネクタであって、
前記ハウジング内に、前記第一、第二金属導片を設置し、二つの中心線に設置された間隙口は収容空間を形成して、前記ツイストケーブルを挿持し、前記第一、第二金属導片が並列で前記ツイストケーブル外層のアイソレーター表層と前記ツイストケーブル内円心のコンダクタを接触連接し、
前記ハウジング内に設置された前記第一金属導片の中心線と前記第二金属導片の中心線の線間ピッチは少なくとも０．６３５ミリ以上であり、前記第一金属導片と前記第二金属導片の中心線を、それぞれ、前記ツイストケーブル内円心の前記コンダクタに対応させて、接触連接することを特徴とするコネクタ。
【請求項２】
前記第一金属導片と前記第二金属導片の中心線は等間隔で配列され、前記中心線と前記二つのコンダクタの中心は一直線で、前記二つの間隙口と前記ツイストケーブルが相対して挟固することを特徴とする請求項１に記載のコネクタ。  
【請求項３】
前記ツイストケーブル両端のピッチの基準は、前記第一金属導片と前記第二金属導片の中心線の基準に基づいて作用することを特徴とする請求項１に記載のコネクタ。
【請求項４】
前記ツイストケーブル両端に弾性材があり、前記ハウジング両端のピッチを調整することを特徴とする請求項１に記載のコネクタ。
【請求項５】
前記ハウジング両端間のケーブルはピッチが信号伝送の安定性を達成することを特徴とする請求項１に記載のコネクタ。
【考案の詳細な説明】
【技術分野】
【０００１】
本考案は、公知のサーバ、或いは、コンピュータが使用するコネクタに関するものである。
【背景技術】
【０００２】
従来公知のサーバ、或いは、コンピュータが使用するインナーコネクタは、幾度に渡る製造加工で組成され、その工程は複雑で、製造コストも高い。
このことを、図１から図４で具体的に説明すると、公知のコネクタ１は、線材製造商によりケーブル製造工程を完成し、ケーブルは更に、組み立て工場で、コネクタ１のハウジング１２、１３とケーブルを加工接合して、コネクタ製品となる。サーバが使用するＳＣＳＩケーブル、及びＡＴＡ−１３３ケーブルは、それぞれ、（６８芯／３４ペア）（８０芯／４０ペア）（１００芯／５０ペア）等の異なる規格のツイストケーブルで、線材製造商各社の設計する線材規格は異なり、各社線材規格が、組み立て商各社のコネクタ１の規格とも一致しない場合、長すぎるツイストケーブルの使用はコスト高に加え、加工も容易ではなく、平台並列ケーブル１００、１０１、１０２、１０３は信号が逐次衰減していく問題や、更には、クロストーク及び信号伝達の不安定も生じ、多くのメーカーが未加工のツイストケーブル１０、１１を使用してケーブルの配列を行っていて、ツイストケーブルの線径ＯＤ公差の問題を生じる。一般のツイストケーブル１０、１１の線径は０．６３５ミリか、それ以下に限定されるが、正公差が０．６３５ミリ以上である時、図２、図３で示されるような配列時の圧成形１６重畳現象を生じる。
更に、端子１４、１５のケーブル相互間の距離１７が０．６３５ミリピッチか、それ以下は、製造不順や不良問題を生じやすい（図４）。
【特許文献１】特開２０００−２６８９２０
【考案の開示】
【考案が解決しようとする課題】
【０００３】
本考案は、上述した不都合に鑑みてなされたもので、クロストークを減少し、精確度を向上させ、信号伝達の安定を保持するコネクタを提供することを目的とする。
【課題を解決するための手段】
【０００４】
上記の課題を解決するたために、請求項１の考案は、コネクタであって、ハウジング、第一金属導片、第二金属導片、ツイストケーブルからなるコネクタであって、前記ハウジング内に、前記第一、第二金属導片を設置し、二つの中心線に設置された間隙口は収容空間を形成して、前記ツイストケーブルを挿持し、前記第一、第二金属導片が並列で前記ツイストケーブル外層のアイソレーター表層と前記ツイストケーブル内円心のコンダクタを接触連接し、前記ハウジング内に設置された前記第一金属導片の中心線と前記第二金属導片の中心線の線間ピッチは少なくとも０．６３５ミリ以上であり、前記第一金属導片と前記第二金属導片の中心線を、それぞれ、前記ツイストケーブル内円心の前記コンダクタに対応させて、接触連接することを特徴とするコネクタである。
【０００５】
請求項２の考案は、前記第一金属導片と前記第二金属導片の中心線は等間隔で配列され、前記中心線と前記二つのコンダクタの中心は一直線で、前記二つの間隙口と前記ツイストケーブルが相対して挟固することを特徴とする請求項１に記載のコネクタである。  
請求項３の考案は、前記ツイストケーブル両端のピッチの基準は、前記第一金属導片と前記第二金属導片の中心線の基準に基づいて作用することを特徴とする請求項１に記載のコネクタである。
請求項４の考案は、前記ツイストケーブル両端に弾性材があり、前記ハウジング両端のピッチを調整することを特徴とする請求項１に記載のコネクタである。
請求項５の考案は、前記ハウジング両端間のケーブルはピッチが信号伝送の安定性を達成することを特徴とする請求項１に記載のコネクタである。
【０００６】
すなわち、上記の各考案は、ハウジング（housing）内に、第一金属導片（contact  blade）と第二金属導片を設置し、中心線に間隙口を設置して、収容空間を形成し、対応するツイストケーブル（twisted  cable）を挿持し、第一金属導片と第二金属導片が並列して、ツイストケーブル外層のアイソレーター（isolator）表層とツイストケーブル内円心のコンダクタ（conductor）を接触連接し、ハウジング内に設置された第一金属導片の中心線と第二金属導片の中心線の線間ピッチは０．６３５ミリ以上で、第一金属導片と第二金属導片の中心線がそれぞれ、ツイストケーブル内円心のコンダクタに対応して接触連接し、クロストークを減少し、精確度を向上させ、信号伝達の安定を保持するものである。
【考案の効果】
【０００７】
クロストークを減少し、精確度を向上させ、信号伝達の安定を保持することが出来る。
【考案を実施するための最良の形態】
【０００８】
本考案の実施例を図面に沿って説明する。
本考案の実施例は、図５〜図８で示されるようなコネクタであって、ハウジング２１、２２、第一金属導片３、第二金属導片４、ツイストケーブル５、６から構成されている。  前記ハウジング２１、２２内に、第一金属導片３と第二金属導片４を設置し、二つの中心線３０、４０に設置された間隙口３１、４１は収容空間を形成して、ツイストケーブル５、６を挿持し、第一金属導片３と第二金属導片４が並列でツイストケーブル外層のアイソレーター５０、６０表層とツイストケーブル５、６内円心のコンダクタ５１、６１を接触連接する。
前記ハウジング２１、２２内に設置された第一金属導片３の中心線３０と第二金属導片４の中心線４０の線間ピッチは少なくとも０．６３５ミリ以上である。第一金属導片３と第二金属導片４の中心線３０、４０が、それぞれ、ツイストケーブル５、６内円心のコンダクタ５１、６１に対応して、接触連接する。
前記第一金属導片３と第二金属導片４の中心線３０、４０は等間隔で配列され、中心線３０、４０と二つのコンダクタ５１、６１の中心は一直線で、二つの間隙口３１、４１とツイストケーブル５、６が相対して挟固する。
【０００９】
以上のような構成であるから、本実施例は、コネクタ２両端に連結されたツイストケーブル５、６は、ハウジング２１、２２両端の長度によって調整出来、間隙口３１、４１間と同じピッチ間であるツイストケーブル５、６は、同時に、ハウジング２１、２２両端に穿刺し、両端の間のケーブル７（図５を参照）により、平台並列信号が逐次衰減していく問題を解決し、ピッチが信号伝達安定性を保持する。
更に、第一金属導片３と第二金属導片４の距離８は０．６３５ミリピッチ以上で、図８で示されるように、０．６５ミリ、０．７ミリ、０．７５ミリ、０．８ミリピッチは、公知の線径ＯＤ公差問題、及び線径ＯＤを０．６３５ミリ以下に制限して生じる配列時の重畳現象を解消する。
【００１０】
本考案と公知技術を比較すると、以下のように分析される。
［公知技術の欠点］
１．ツイストケーブルが加工される製品の長さ、幅が不一致で、ケーブル圧成形偏移が不良、使用不能などの欠点を生じる。
２．短絡、及び信号衰減の問題が生じやすい。
３．製造工程が複雑で、不良率やコストが高くなる。
４．功能不良を引き起こす。
［本考案の実施例の長所］
１．クロストークを減少させる。
２．信号／雑音比（ratio  of  signal／noise）を向上させる。
３．信号伝達の安定性を保持する。
４．ＳＣＳＩ、或いはＡＴＡの使用において、伝達信号が更に安定する。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】公知のコネクタの平台直線組み立て図である。
【図２】公知のコネクタのツイストケーブルシフト重畳の断面図である。
【図３】公知のツイストケーブル図である。
【図４】公知のコネクタの端子ピッチを示した実施例図である。
【図５】本考案の実施例のコネクタのツイストケーブル組み立て図である。
【図６】本考案の実施例のコネクタの穿刺位置断面図である。
【図７】本考案の実施例のコネクタの穿刺位置実施例図である。
【図８】本考案の実施例のコネクタのピッチを示した実施例図である。
【符号の説明】
【００１３】
１、２…コネクタ
５、６、１０、１１…ツイストケーブル
１００、１０１、１０２、１０３…平台並列ケーブル
１２、１３、２１、２２…ハウジング
１４、１５…端子
１６…圧成形
１７…０．６３５ミリピッチ
３…第一金属導片
４…第二金属導片
３０、４０…中心線
３１、４１…間隙口
５０、６０…アイソレーター
５１、６１…コンダクタ
７…ケーブル
８…０．６３５ミリピッチ
【図１】
0003101909.tif 000003
【図２】
0003101909.tif 000004
【図３】
0003101909.tif 000005
【図４】
0003101909.tif 000006
【図５】
0003101909.tif 000007
【図６】
0003101909.tif 000008
【図７】
0003101909.tif 000009
【図８】
0003101909.tif 000010